(57)【要約】【課題】外装とカバー部材とが金属で構成されており、かつ裏蓋などのカバー部材はスクリュー式であり、受信感度の高い電波修正腕時計などの電子機器を提供すること。【解決手段】時計外装の内側にネジ締めされる固定部材と、この固定部材と時計外装とによって絶縁材を介しつつ挟まれるネジ部材とを備え、このネジ部材にネジ締めされてかつ外装に絶縁材を介して固定される裏蓋を持つことを特徴とする電波修正時計などの電子機器。この構成によって、外装と裏蓋とを電気的に完全に絶縁することができつつ、金属で構成されたスクリュー式裏蓋を採用した場合と同等の防水性、強度、メンテナンス性、美観を備えた電波修正時計などを提供することができる。【選択図】図１
2010230512.tif 000002
【特許請求の範囲】
【請求項１】
開口部を有するとともに内部にアンテナが収容された金属製のケースと、鍔部を有するとともに、前記開口部を塞ぐように取付けられる金属製の蓋部材と、前記蓋部材を螺合するためのネジ部が形成され、前記ケースと絶縁した状態で前記ケースに取付けられたネジ部材とを有し、前記ケースは前記ネジ部材を配置するとともに、前記ネジ部材を固定する固定部材を配置するための段部を有し、前記ネジ部材は前記段部と前記固定部材との間に挟み込まれて固定されており、前記蓋部材は前記ネジ部材に螺合して前記ケースとは絶縁された状態で前記開口部を塞ぐとともに、前記鍔部で前記固定部材を覆い隠すことを特徴とする電子機器。
【請求項２】
前記ネジ部材が金属製であり、該ネジ部材と前記ケースとの間に絶縁部材を介在させたことを特徴とする請求項１に記載の電子機器。
【請求項３】
前記固定部材は前記ケースに螺合する固定用ネジ部材であり、前記ネジ部材との間に絶縁部材を介して前記ケースに固定されていることを特徴とする請求項１または請求項２に記載の電子機器。
【請求項４】
前記ネジ部材と前記固定部材は互いに接合する面が斜面部を有しており、前記固定部材の斜面部を前記ネジ部材の斜面部に押圧することによって前記ネジ部材を前記段部に固定したことを特徴とする請求項１から請求項３のいずれか１つに記載の電子機器。
【発明の詳細な説明】
【技術分野】
【０００１】
本発明は、時刻情報を含む所定の電波を受信し、その情報に基づいて時刻を修正する機能を有する電子機器である電波修正時計に関し、特に腕時計型の電波修正時計に関するものである。
【背景技術】
【０００２】
電波修正時計は、１００万年に１秒の精度を持つセシウム原子時計による時刻情報や日付情報を含む標準電波（例えば、４０ｋＨｚの電波）を、時計ケースに内蔵するアンテナで受信し、時刻の誤差を修正する機能を具備している時計である。このため、一ヶ月にある程度の誤差が生じるクォーツ時計と比べて常時正確な時刻を表示することが可能であり、時刻修正の手間を省くことができるため、近年急速に普及しつつある。
【０００３】
電波修正時計において、受信性能を決めるのは、アンテナ特性と受信回路特性である。
【０００４】
標準電波はその波長が５ｋｍ前後と長く、腕時計内部において波長方向による共振を行うことが難しいため、受信アンテナの種類としては、強磁性体コアに導線を巻き付けたコイル状のバーアンテナを用いるのが一般的である。このバーアンテナを透過する磁束によってコイルに起電力を得る。
【０００５】
受信回路は、受信アンテナの出力を元に時刻情報を検知し、時計用ムーブメントに伝えるものである。時計用ムーブメントとは、電池や時計動作に必要な計時回路などの回路要素を１ユニットにまとめた複合部品をいう。場合によっては、文字盤や液晶表示装置などの時刻表示手段も含むこともある。
【０００６】
腕時計型の電波修正時計は、時計としての機能のほかに身飾品としての役割も持つことから、デザインや質感は重要である。特に時計としての高級感は重要な要素であり、時計本体の外装を金属で構成する金属外装が望まれている。
【０００７】
しかしながら、受信アンテナの出力は、金属外装に収納すると極端に低下してしまう。これは、金属外装表面で渦電流が生じ、標準電波が時計内部に入りにくくなること、アンテナに流れる電流によって発生する磁束が、金属外装表面で発生する渦電流による反磁束によって妨げられることとで、受信アンテナに流れる電流が妨げられるためである。
【０００８】
特に、時計外装と裏蓋とが金属で構成されていて、互いに電気的に導通している場合にこの影響は顕著である。これは外部磁束に対する渦電流が主に裏蓋を流れることで時計外装と裏蓋とが磁束にとって一体化した障害物となるためである。
【０００９】
そのため、多くの場合、ネジ止めやパッキンを介した圧入などで裏蓋を時計外装に固定することで、両者の電気的な結合度を低下させたり、裏蓋をガラスやプラスチックのような絶縁体で構成する構造が用いられる。
【００１０】
しかしながら、裏蓋と時計外装の結合度が低下することは、時計としての防水性や強度を低下させることでもあり、本来望ましくない。
【００１１】
また、裏蓋を絶縁体で構成することは、腕時計の身飾品としての観点から、裏蓋の材質が固定されてしまい、デザイン上の制約を課すことにもなるので、あまり好ましくない。さらに、裏蓋をガラスやプラスチックのような絶縁材で構成すると、一般的に金属より強
度が不足するため、裏蓋の厚みを増さざるを得ず、結果として時計全体が分厚くなり、小型軽量が望まれる昨今の携帯機器の流れに逆行するため、これも好ましくはない。
【００１２】
腕時計の裏蓋の中で特に高級機種に好んで用いられるのは、裏蓋そのものが巨大なネジとなり時計外装に強固に嵌合するスクリュー式裏蓋である。裏蓋を金属で構成すれば、スクリュー式裏蓋は、高い美観，防水性，強度，メンテナンス性を同時に持つことのできる優れた構成となるのである。
【００１３】
しかしながら、スクリュー式裏蓋は、時計外装と裏蓋とがネジ機構部を通じて強固に結合するため、電気的な結合度も上がり、渦電流の発生が大きく、電波修正時計の感度を確保するという点では好ましくない。
これに対して、スクリュー式裏蓋に類似の構造でありながら渦電流の発生を和らげ、感度向上を図れる技術が知られている（例えば、特許文献１及び特許文献２を参照）。
【００１４】
図３は特許文献１に示した従来技術を説明するための図であって、説明しやすいようにその趣旨を逸脱しないように書き直したものであり、図３は側面から見たときの様子を模式的に示す断面図である。図３において、１は外装、２は裏蓋、１０３は中枠、１０４はツバを持つＯリング、１０７は外装１に設けられたツバ部、１０９は絶縁シート、１１０はネジ機構部である。ここでＯリング１０４と絶縁シート１０９は絶縁材で構成されていることを特徴とする。ネジ機構部１１０は裏蓋２と中枠１０３との間に設けられており、互いにかみ合っている。
【００１５】
図３において、中枠１０３を外装１の上方から挿入し、更に裏蓋２を更に下からネジ機構部１１０を介して中枠１０３にねじ込むことで、外装１のツバ部１０７が裏蓋２と中枠１０３との間に挟まれる形となって、スクリュー式裏蓋と同様に裏蓋２を外装１に対して強固に固定することができる。
【００１６】
ここで、裏蓋２は、絶縁材であるＯリング１０４と、同じく絶縁材である絶縁シート１０９を介して外装１に固定されている中枠１０３を介して外装１に固定されており、外装１とは電気的に導通していない。すなわち、外装１と裏蓋２とは電気的に結合していない。このようにすることで、スクリューバックに類似の外見及び構造を保ちつつも裏蓋２を外装１から電気的に分離することができて、電波修正時計の感度を向上させることができる。
【００１７】
図４は、特許文献２に示した従来技術を説明するための図であって、説明しやすいようにその主旨を逸脱しないように書き直したものであり、図４は側面から見たときの様子を模式的に示す断面図である。図４において、１は外装、２は裏蓋、１０３は外枠、１０４はツバを持つＯリング、１０８は裏蓋２に設けられたツバ部、１０９は絶縁シート、１１０はネジ機構部である。ここでＯリング１０４と絶縁シート１０９は絶縁材で構成されていることを特徴とする。ネジ機構部１１０は外装１と外枠１０３との間に設けられており、互いにかみ合っている。
【００１８】
図４において、裏蓋２を外装１の下から挿入し、ネジ機構部１１０を有する外枠１０３を更に下からねじ込むことで、裏蓋２のツバ部１０８が外装１と外枠１０３との間に挟まれる形となって、スクリュー式裏蓋と同様に裏蓋２を外装１に対して強固に固定することができる。
【００１９】
ここで、裏蓋２は絶縁材であるＯリング１０４と絶縁シート１０９を介して外装１または外枠１０３と嵌合しているため、外装１と外枠１０３のどちらとも電気的に導通していない。すなわち、特許文献１に示した従来技術と同じく、外装１と裏蓋２は電気的に結合
していない。このようにすることで、スクリューバックに類似の外見及び構造を保ちつつも裏蓋２を外装１から電気的に分離することができて、電波修正時計の感度が向上するのである。
【先行技術文献】
【特許文献】
【００２０】
【特許文献１】特開２００８―７６３２６号公報（図１）
【特許文献２】特開２００８―３２４４６号公報（図１）
【発明の概要】
【発明が解決しようとする課題】
【００２１】
特許文献１及び２に記載の従来技術においては、スクリュー式裏蓋と類似の構造でありながら外装と裏蓋とを電気的に分離することが可能である。しかしながら、発明者が検討したところ、以下の問題があることが分かった。
【００２２】
まず、特許文献１に記載の従来技術では、裏蓋を保持する為の中枠は外装内周部に設けられたツバ部により固定されなければならない為に、時計外装を裏蓋側から見た場合の開口部よりも大きく作らなければならない。そのため、この中枠を裏蓋側から装着することはできず、裏蓋とは反対側から挿入する必要がある。
【００２３】
通常、時計においては防水性や作業性の観点から裏蓋側からムーブメントを挿入することがほとんどである。特許文献１に記載の構造において同様に裏蓋側からムーブメントを挿入しようとすると、中枠内径よりも小さなムーブメントを採用しなくてはならないが、図３にも示したように中枠の上部は中枠をツバ部へ搭載する際の通路となるために必然的に空洞となっており、大きなデッドスペースとなってしまう。そのため、外装外周部と文字盤外周部との距離が増大する。すなわち、デザイン的に大きく制約を受けるのみならず、ムーブメントに対する外装のサイズを大きくすることになるため時計全体のサイズが増大してしまう。
【００２４】
次に、特許文献２に記載の従来技術の構造では既に述べた特許文献１に記載の従来技術の問題点は解消されているものの、時計を裏蓋側から見た際に、外枠が時計外装の表面に露出しているためにスクリュー式裏蓋と全く同じ外観とすることができず、また時計の裏蓋側全体を一体として扱うことができないためにデザイン上の制約が生ずる。外枠は最後にねじ込む必要があるため、裏蓋や外装の形状によって覆い隠すことも不可能である。
【００２５】
更に、外枠と裏蓋との隙間は溝形状を成しているが、加工精度及び実際の組み立ての際にスムースに外枠をねじ込む必要があるために、この溝幅を小さくすることが難しく、また、外枠はねじ込み強度を確保するためにある程度のねじ込み深さを確保する必要があり、これがそのまま溝形状の深さとなるため、これを浅くすることも難しい。そのために時計を裏蓋側から見たとき、外枠と裏蓋との隙間に深い溝形状が目立つこととなり、多くの場合、部品同士の高精度な合致を要求される高級な時計では問題が生ずる。
【００２６】
また、通常の時計と違い、このように直接肌に接触する箇所に深い溝形状が存在すると、汗や垢などが堆積することとなって美観上そして衛生上の問題が生ずるのである。
【００２７】
以上のように、特許文献１に記載の構造では、外装外周と文字盤外周との間に大きなデッドスペースが生じ、デザイン上の制約を及ぼすばかりか時計そのものがムーブメントとは不釣合いに大型化してしまうこと、メンテナンスが困難であることという問題を抱えているのである。
【００２８】
また、特許文献２に記載の構造では、裏蓋を一体として扱うことがデザイン上不可能であること、外枠と裏蓋との隙間を小さくすることが難しいことに起因する問題を抱えているのである。
【００２９】
本発明の技術的な課題は、このような問題を解決し、金属で構成されるスクリュー式裏蓋を持つ時計と同等の強度、防水性そして外観を持ちながら、充分な標準電波の受信レベルを確保し得る電波修正時計を提供することにある。
【課題を解決するための手段】
【００３０】
上記した目的を達するため、本発明の電波修正時計は、以下に示す構成を採用する。開口部を有するとともに内部にアンテナが収容された金属製のケースと、鍔部を有するとともに、前記開口部を塞ぐように取付けられる金属製の蓋部材と、前記蓋部材を螺合するためのネジ部が形成され、前記ケースと絶縁した状態で前記ケースに取付けられたネジ部材とを有し、前記ケースは前記ネジ部材を配置するとともに、前記ネジ部材を固定する固定部材を配置するための段部を有し、前記ネジ部材は前記段部と前記固定部材との間に挟み込まれて固定されており、前記蓋部材は前記ネジ部材に螺合して前記ケースとは絶縁された状態で前記開口部を塞ぐとともに、前記鍔部で前記固定部材を覆い隠すことを特徴とする電子機器である。
【００３１】
また、前記ネジ部材が金属製であり、該ネジ部材と前記ケースとの間に絶縁部材を介在させたことを特徴とする。
【００３２】
また、前記固定部材は前記ケースに螺合する固定用ネジ部材であり、前記ネジ部材との間に絶縁部材を介して前記ケースに固定されていることを特徴とする。
【００３３】
また、前記ネジ部材と前記固定部材は互いに接合する面が斜面部を有しており、前記固定部材の斜面部を前記ネジ部材の斜面部に押圧することによって前記ネジ部材を前記段部に固定したことを特徴とする。
【発明の効果】
【００３４】
本発明の電波修正時計は上記のような構造となっているので、時計外装と裏蓋とを電気的に完全に絶縁することができつつ、かつ時計外装内部に影響を与えることなしに金属製のスクリュー式裏蓋を用いた今までの電波修正時計と同様の構造を採用することができる。
【００３５】
したがって、電波修正時計のデザインの自由度，強度，防水性，メンテナンス性を向上しつつも感度を高めることができる。
【図面の簡単な説明】
【００３６】
【図１】本発明の電波修正時計の構造を説明するための断面図である。
【図２】本発明の電波修正時計における裏蓋周辺の別の構造を説明するための断面図である。
【図３】特許文献１に示した従来技術を説明するための図である。
【図４】特許文献２に示した従来技術を説明するための図である。
【発明を実施するための形態】
【００３７】
以下図面を用いて本発明の電波修正時計について説明する。図１は、本発明の電波修正時計の構造を説明するものであり、時計を側面から見たときの様子を模式的に示す断面図である。特に断りがないときを除き、図面の上方に文字板や液晶表示装置などの時刻表示手段が設けられるが、説明しやすいようにそれらは省略してある。
【００３８】
図１において、１はケースを構成する外装、２は裏蓋、３は固定部材、４はネジ部材、５はＯリング、６は外絶縁シート、７は中絶縁シート、８は内絶縁シート、９は裏蓋２の立設部、１０は外装１と固定部材３に設けた外ネジ部、１１はネジ部材４と裏蓋２に設けた内ネジ部、１５は外装１に設けられた段部、２０は電波修正時計が電波を受信するために用いるアンテナ、３０は裏蓋２に設けた鍔部、１００はアンテナ２０などを備えたムーブメントである。
【００３９】
時計外装１、裏蓋２、固定部材３、ネジ部材４は全て金属で構成している。一方、Ｏリング５、外絶縁シート６、中絶縁シート７、内絶縁シート８は全て絶縁体で構成している。
【００４０】
まず外装１の段部１５に対し、中絶縁シート７と内絶縁シート８を介してネジ部材４を裏蓋側、即ち図１においては下から挿入して配置する。次に外絶縁シート６を介して固定部材３を裏蓋側から外ネジ部１０に締め付ける。これによってネジ部材４は外装１に固定した固定部材３と段部５の間に挟まれる形となり、ネジ部材４と固定部材３は外装１に固定される。次に外装１にムーブメント１００を配置する。最後に裏蓋２をＯリング５を介して内ネジ部１１に締め付ける。これによって裏蓋２が外装１に対して固定される。
【００４１】
外装１と裏蓋２とはＯリング５やネジ部材４を介して固定されているが、ネジ部材４は内絶縁シート８と中絶縁シート７と固定部材３とを介して外装１に固定している。内絶縁シート８及び中絶縁シート７は既に述べたとおり絶縁材であるからネジ部材４から直接に外装１へ電気が流れることは無い。また、固定部材３とネジ部材４との間には外絶縁シート６が介在しており、外絶縁シート６が同様に絶縁材であることから、固定部材３を介して外装１に固定しているため直接接触することが無く、やはりネジ部材４から固定部材３へと電気が流れることも無い。即ち、ネジ部材３は裏蓋２としか電気的には結合していないが、その裏蓋２も固定部材３としか電気的に結合していないため、この２つの部品は外装１及び他の全ての時計部材から電気的に分離されている。
【００４２】
このような構成とすることで、裏蓋２を締め付けた場合、裏蓋２と外装１とは、外装１と鍔部３０の間に配置したＯリング５によって互いに電気的に絶縁されつつ、外装１に裏蓋２は固定される。強度の高い金属からなるネジ部材４を金属製の外装１と固定部材３とで挟み込む形となっているため強度的にも高い。また、ネジ嵌合になっているうえに全ての部品を裏蓋側から外すことができるためにメンテナンス性も高い。また裏蓋２の鍔部３０によって固定部材３を覆い隠しているので、裏蓋２の立設部９と固定部材３との隙間も覆い隠されて、隙間を隠すとともに隙間への汗や垢の堆積も防止できる。
【００４３】
このようにすることで、外装１内部の構造及び外部の構造において従来のスクリュー式裏蓋と全く同じ構造を採用することができる。
【００４４】
ネジ部材４は外装１に対して回転しにくいことが望ましい。回転しやすくなっていると、裏蓋２を締め付ける際、裏蓋２と共に回転してしまって締め付けるのが困難になるし、逆に裏蓋２を開ける場合にも同様に裏蓋２とネジ部材４が共に回転してしまって裏蓋２を外すことができなくなるからである。
【００４５】
そのため、例えば、外装１とネジ部材４との間に対応する凹みと突起を設けるなどすることができる。
【００４６】
同様に、固定部材３はリング形状をした部材であるが、ネジ部材４をある程度強固に固定する必要があるから、ネジ部材４に対して十分なトルクをかけられる構造になっている
ことが望ましい。そこで従来のスクリューバック式裏蓋に見られるような、外周付近に突起や凹みを等間隔で設けて十分なトルクをかけられるようにしても良い。
【００４７】
また、３つある絶縁シートの材質としては、耐圧縮性や耐摩耗性に富み、金属との間の摩擦係数が低い絶縁材が適している。特に限定しないが、例えば、ビニルフィルムなどを用いることができる。もちろん、同様な材質の絶縁板を用いてもかまわないし、またＯリングなどを用いることもできる。
【００４８】
また、防水性能を決定付けるＯリング５は弾性体であり、裏蓋２の開け閉めの際の劣化や経年劣化が避けられないため容易に取り外しできることが望ましいが、３つある絶縁シートはあくまでネジ部材４を電気的に分離するために存在しているのであるから、Ｏリング４のように高い弾性を示す必要はなく、外絶縁シート６以外は裏蓋２の開け閉めの際にも大きく変形することがないため劣化することもなく、容易に取り外しできなくても構わない。そのため、ネジ部材４と内絶縁シート８と中絶縁シート７、または外装１と内絶縁シート８と中絶縁シート７とは互いに接着されていてもかまわない。
【００４９】
このようにすると、中枠や絶縁シートと外装のうちの幾つかが一体化されるためにメンテナンスの際に取扱う部品点数を減らすことができる。
【００５０】
また、固定部材３やネジ部材４の少なくとも一方をプラスチックなどの絶縁部材にすれば、電気的には幾つかの絶縁シートは必要なくなり部品点数が減少するため製造が容易になる。特に固定部材３がプラスチック製の場合は、外装１に対して固定部材３を螺合させるのではなく、外装１に圧入して固定しても良い。固定部材３がプラスチックなので、ネジ部材が金属製の場合は絶縁シートを省略することもできる。
【００５１】
なお上記実施形態では、固定部材３とネジ部材４とが金属である場合に、両者の間に絶縁シートを介在させる構造を示したが、本発明はそれに限定されるものではなく、例えば両者の対向する少なくともどちらか一方の面に凹凸を形成し、両者の接触面積を減らして接触抵抗を高めることにより、絶縁シートを用いた場合と同様の効果を得ることも可能である。また、固定部材３とネジ部材４とが金属である場合に、少なくとも一方の表面に、ＤＬＣ（ダイヤモンドライクカーボン）による表面処理を施して絶縁シートと同様の絶縁効果を発揮させても良い。
【００５２】
次に、固定部材３とネジ部材４の他の実施形態を説明する。
【００５３】
固定部材３とネジ部材４の形状は既に説明した形状に限定されるものではない。固定部材３が外装１との間に成立するネジ構造によってネジ部材４を固定することが重要であり、さまざまに変更可能である。図２は裏蓋と外装との結合部のさまざまな変形例を拡大して示すと計の部分断面図である。図１ですでに説明した構成には同一の番号を付与してその説明を省略する。
【００５４】
図２（ａ）と（ｂ）は、固定部材３とネジ部材４との接合面を斜めにしたものと楔状にしたものである。図１に示す例では、文字盤と平行な面内での裏蓋２の自由度、すなわち図中での横方向の移動を制限しているのはＯリング５と中絶縁シート７とネジ部材４である。Ｏリング５はその性質上、外装１と裏蓋２にそれぞれＯリング５を嵌めるための溝を切り込むため、これを介して裏蓋２の横移動は制限する。しかしながら、Ｏリング５は弾性体であり、形状としても円形断面が多いために溝に対して引っかかりにくく、また、もともと潰した状態で使用されることが前提であるから、裏蓋２の横移動を完全に制限するには適さない。中絶縁シート７はネジ部材４が外装１内にスムースに挿入されなければならないという関係上、やはり寸法的に外装１との間にある程度の遊びを必要とする。その
ため、図１に記載の構造では裏蓋２の横移動の自由度がある程度残ってしまうのである。もちろんこれはわずかな量ではあるが、裏蓋に同心円のパターンなどが刻まれたデザインの腕時計や外装１と裏蓋２との接合溝が目立つ構造をした腕時計などではこのわずかなずれが目立つことが考えられる。
【００５５】
図２（a）と（ｂ）に示した構造は、固定部材３に対するネジ部材４の横移動を制限することができる。図２（a）に示した構造では固定部材３の上面がすり鉢状の斜面部有する構造になっており、ネジ部材４の下面はそれに対応した斜面部を有している。この状態で裏蓋２を締め付けることでネジ部材４が固定部材３の上面を下の方へ引張られるにつれて、必然的にネジ部材４と固定部材３の中心が一致するようになる。このとき、固定部材３は外装１にネジで締付けられて、その中心が外装１の中心とほぼ一致しているので、ネジ部材４にネジ締めされた裏蓋２も外装１の中心と一致するように固定される。
【００５６】
図２（ｂ）に示した構造は固定部材３とネジ部材４との接合面が斜面部を有する楔形になっており、図２（ａ）と同様に裏蓋２を締め付けることで固定部材３と内中４との中心線が一致するものである。図２（ａ）,（ｂ）どちらにしても、ネジ部材４と裏蓋２とは内ネジ部１１によって強固かつ精確に互いに固定されているから、これにより、ネジ部材４を介して外装１と裏蓋２との位置関係が精確に固定されることになるのである。また、そのためにこれらの構造では中絶縁シート７を省略することもできる。
【００５７】
このようにすることで、裏蓋２と外装１との位置関係を精確にして固定することができるものである。
【００５８】
図２（ｃ）は、ネジ部材４の内ネジ部１１のみを時計内周側へせり出させ、内ネジ部１１を裏蓋２側へ近づけた形状になっている。このようにすると、裏蓋２の立設部９の高さを図１に示した例に比べて短くすることができる。勿論、ネジ部材４がその分伸びることになが、例えば裏蓋２をプレスで製造していて立設部９の高さを高くとることが難しい場合にはこちらの構造を用いることができる。
【産業上の利用可能性】
【００５９】
本発明の電波修正時計用は、裏蓋などのカバー部材と時計外装を金属で構成しても、電波修正時計として感度を落とすことがない。したがって、美観を要求される腕時計型の電波修正時計に好適である。
【符号の説明】
【００６０】
１  外装
２  裏蓋
３  固定部材
４  ネジ部材
５  Ｏリング
６  外絶縁シート
７  中絶縁シート
８  内絶縁シート
９  立設部
１０  外ネジ機構部
１１  内ネジ機構部
１５  段部
２０  アンテナ
３０  鍔部
１００  ムーブメント
【図１】
2010230512.tif 000003
【図２】
2010230512.tif 000004
【図３】
2010230512.tif 000005
【図４】
2010230512.tif 000006